【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
無線端末と通信する基地局であって、
他の基地局が送信失敗した下りデータのデータ量を示す第１の情報を、前記無線端末が前記他の基地局から前記基地局にハンドオーバーするとき、前記他の基地局から受信する受信手段と、
前記第１の情報が示すデータ量を加算したデータ量を表す第２の情報を、コアネットワークへ送信する送信手段と、を有する、基地局。
【請求項２】
前記下りデータは、前記他の基地局から前記無線端末に送信されるデータである、請求項１に記載の基地局。
【請求項３】
前記受信手段は、前記第１の情報を、前記ハンドオーバーを要求するメッセージで受信する、請求項１または２に記載の基地局。
【請求項４】
前記受信手段は、前記ハンドオーバーの前に、前記他の基地局からリソース解放の完了を示すメッセージを受信し、
前記リソース解放の完了を示すメッセージは、前記第１の情報を含む、請求項１または２に記載の基地局。
【請求項５】
前記送信手段は、リソース解放するときに、前記第２の情報を前記コアネットワークへ送信する、請求項１ないし３のいずれか１項に記載の基地局。
【請求項６】
前記無線端末との通信が終了した後に、
前記送信手段は、前記第２の情報を、前記リソース解放に関するメッセージで前記コアネットワークに送信する、請求項５に記載の基地局。
【請求項７】
前記第１の情報は、前記下りデータのパケットの数の情報である、請求項１ないし６のいずれか１項に記載の基地局。
【請求項８】
第１の基地局、第２の基地局および無線端末を有する無線通信システムにおいて、
前記無線端末は、
前記第１の基地局から第２の基地局へハンドオーバーし、
前記第１の基地局は、
送信失敗した下りデータのデータ量を示す第１の情報を、前記ハンドオーバーするとき、前記第２の基地局に送信し、
前記第２の基地局は、
前記第１の情報が示すデータ量を加算したデータ量を表す第２の情報を、コアネットワークへ送信する、無線通信システム。
【請求項９】
前記下りデータは、前記第１の基地局から前記無線端末に送信されるデータである、請求項８に記載の無線通信システム。
【請求項１０】
前記第１の基地局は、
前記第１の情報を、前記ハンドオーバーを要求するメッセージで送信する、請求項８または９に記載の無線通信システム。
【請求項１１】
前記第１の基地局は、
前記ハンドオーバーの前に、リソース解放の完了を示すメッセージに、前記第１の情報を載せて前記第２の基地局に送信する、請求項８または９に記載の無線通信システム。
【請求項１２】
前記第２の基地局は、リソース解放するときに、前記第２の情報を前記コアネットワークへ送信する、請求項８ないし１０のいずれか１項に記載の無線通信システム。
【請求項１３】
前記第２の基地局と前記無線端末との通信が終了した後に、
前記第２の基地局は、前記第２の情報を、前記リソース解放に関するメッセージで前記コアネットワークに送信する、請求項１２に記載の無線通信システム。
【請求項１４】
前記第１の情報は、前記下りデータのパケットの数の情報である、請求項８ないし１３のいずれか１項に記載の無線通信システム。
【請求項１５】
無線端末に対する基地局の通信方法であって、
前記無線端末が他の基地局から前記基地局にハンドオーバーする工程と、
送信失敗した下りデータのデータ量を示す第１の情報を、前記ハンドオーバーするときに、前記他の基地局から受信する工程と、
前記第１の情報が示すデータ量を加算したデータ量を表す第２の情報を、コアネットワークに送信する工程と、を含む、基地局の通信方法。
【請求項１６】
第１の基地局、第２の基地局および無線端末を有する無線通信システムの通信方法において、
前記無線端末が、前記第１の基地局から前記第２の基地局へハンドオーバーする工程と、
前記第１の基地局が、送信失敗した下りデータのデータ量を示す第１の情報を、前記ハンドオーバーするときに、前記第２の基地局に送信する工程と、
前記第２の基地局が、前記第１の情報が示すデータ量を加算したデータ量を表す第２の情報を、コアネットワークへ送信する工程と、を含む、通信方法。
【請求項１７】
前記第１の基地局は、
前記第１の情報を、前記ハンドオーバーを要求するメッセージで送信する、請求項１６に記載の通信方法。
【請求項１８】
前記第１の基地局は、
前記ハンドオーバーの前に、リソース解放の完了を示すメッセージに、前記第１の情報を載せて前記第２の基地局に送信する、請求項１６または１７に記載の通信方法。
【請求項１９】
前記第２の基地局は、リソース解放するときに、前記第２の情報を前記コアネットワークへ送信する、請求項１６または１７に記載の通信方法。
【請求項２０】
前記第２の基地局と前記無線端末との通信が終了した後に、
前記第２の基地局は、前記第２の情報を、前記リソース解放に関するメッセージで前記コアネットワークに送信する、請求項１９に記載の通信方法。
【請求項２１】
無線通信システムにおける無線端末であって、
第１の基地局と通信する手段と、
送信失敗した下りデータのデータ量を示す第１の情報を前記第１の基地局から受信し、前記第１の情報が示すデータ量を加算したデータ量を表す第２の情報をコアネットワークへ送信する第２の基地局へ、前記第１の基地局からハンドオーバーする手段と、
前記ハンドオーバーするときに、前記第２の基地局と同期する手段と、を有する、無線端末。
【請求項２２】
前記第２の基地局は、前記第１の情報を、前記ハンドオーバーを要求するメッセージで受信する、請求項２１に記載の無線端末。
【請求項２３】
前記第２の基地局は、リソース解放するときに、前記第２の情報を前記コアネットワークへ送信する、請求項２１または２２に記載の無線端末。
【手続補正２】
【補正対象書類名】明細書
【補正対象項目名】００２８
【補正方法】変更
【補正の内容】
【００２８】
本発明の展開形態として、各従属請求項に記載の構成が具体化される。
下りデータは、（第１）基地局から無線端末に送信されるデータであることが好ましい。（形態２）
下りデータは、（第１）基地局から無線端末への送信が成功したデータであることが好ましい。（形態３）
データ量に関する情報に、下りデータが送信された時間帯の時間情報を含む、ことが好ましい。（形態４）
送信手段は、データ量に関する情報を、ハンドオーバーを要求するメッセージで送信する、ことが好ましい。（形態５）
（第１）基地局から第２の基地局へリソース解放の完了を示すメッセージを送信する第２の送信手段を有し、第２の送信手段は、ハンドオーバーの前に、リソース解放の完了を示すメッセージに、データ量に関する情報を載せて送信する、ことが好ましい。（形態６）
無線端末との通信が終了した後に、データ量に関する情報を、リソース解放の完了を示すメッセージでコアネットワークに送信する、ことが好ましい。（形態７）
データ量に関する情報は、下りデータのパケットの数の情報である、ことが好ましい。（形態８）
第２の基地局は、データ量に関する情報を、コアネットワークへのハンドオーバーを完了するメッセージで送信する、ことが好ましい。（形態９）
第１の基地局は、ハンドオーバーの前に、リソース解放の完了を示すメッセージに、データ量に関する情報を載せて第２の基地局に送信する、ことが好ましい。（形態１０）
第１の基地局と無線端末との通信が終了した後に、データ量に関する情報を、リソース解放の完了を示すメッセージをコアネットワークに送信する、ことが好ましい。（形態１１）
第２の基地局は、データ量に関する情報を、コアネットワークへのハンドオーバー完了を報告するメッセージを送信する、ことが好ましい。（形態１２）
第２の基地局と通信する第２のコアネットワークから、第１の基地局と通信する第１のコアネットワークに、ＵＥのコンテキスト情報を要求するメッセージを送信した後に、第１のコアネットワークは、ＵＥのコンテキスト情報を要求するメッセージに応答するメッセージに、これまで足し合わせた上り及び下りデータのデータ量に関する情報をデータ量に関する情報として載せて、第２のコアネットワークに送信する、ことが好ましい。（形態１３）
次に、本発明の実施例について図面を参照して説明する。